(57)【要約】【課題】ドライヤーに確実に接触させて圧縮機をアース接続できるドライヤー固定装置を提供する。【解決手段】冷蔵庫１の冷凍サイクルに接続される円筒状のドライヤー１０を固定するドライヤー固定装置２１において、ドライヤー１０の周面に巻着される巻着部２２と、巻着部２２に突設される突起部２２ａと、巻着部２２の両端から延びる第１、第２延長部２４、２５と、第１、第２延長部２４、２５の端部にそれぞれ設けた孔部２３ａ、２３ｂとを備えた。【選択図】図４
2009092315.tif 000002
【特許請求の範囲】
【請求項１】
冷蔵庫の冷凍サイクルに設けられる円筒状のドライヤーを固定するドライヤー固定装置において、前記ドライヤーの周面に巻着される巻着部と、前記巻着部に突設される突起部と、前記巻着部の両端から延びる第１、第２延長部と、第１、第２延長部の端部にそれぞれ設けた孔部とを備えたことを特徴とするドライヤー固定装置。
【請求項２】
第１、第２延長部が前記巻着部の両端から互いに離れる方向に延びることを特徴とする請求項１に記載のドライヤー固定装置。
【請求項３】
第１、第２延長部の端部を前記突起部の突出方向と反対方向に折曲した固定部を設け、前記固定部に前記孔部を形成したことを特徴とする請求項１または請求項２に記載のドライヤー固定装置。
【請求項４】
前記突起部の突出方向と同じ方向に突出する突出部を第１、第２延長部に設けたことを特徴とする請求項１〜請求項３のいずれかに記載のドライヤー固定装置。
【請求項５】
前記突出部が切り起こしから成ることを特徴とする請求項４に記載のドライヤー固定装置。
【請求項６】
前記突起部をバーリング加工により形成したことを特徴とする請求項１〜請求項５のいずれかに記載のドライヤー固定装置。
【請求項７】
前記巻着部はＶ字型に折曲されることを特徴とする請求項１〜請求項６のいずれかに記載のドライヤー固定装置。
【請求項８】
前記巻着部は前記ドライヤーの周面と同じ曲率の曲面部を有することを特徴とする請求項１〜請求項６のいずれかに記載のドライヤー固定装置。
【請求項９】
前記巻着部は前記ドライヤーの周面と同じ曲率の曲面部と、前記曲面部の両端から外側に折曲される平面部とを有し、前記曲面部と前記平面部との境界に複数の前記突起部をバーリング加工により形成したことを特徴とする請求項１〜請求項５のいずれかに記載のドライヤー固定装置。
【請求項１０】
請求項１〜請求項９のいずれかに記載のドライヤー固定装置を前記ドライヤーに巻着し、重ねられた第１、第２延長部の端部の前記孔部に締結部材を挿通して前記ドライヤーを固定したことを特徴とする冷蔵庫。
【発明の詳細な説明】
【技術分野】
【０００１】
本発明は、冷蔵庫の冷凍サイクルに設けられるドライヤーを固定するドライヤー固定装置に関する。また本発明は、冷凍サイクルに設けられるドライヤーを固定するドライヤー固定装置を備えた冷蔵庫に関する。
【背景技術】
【０００２】
図９は従来の冷蔵庫の機械室の背面図を示している。冷蔵庫１の機械室２内には圧縮機３が配される。圧縮機３は複数の溶接部４ａで継ぎ足される配管４を介して凝縮器及び蒸発器（いずれも不図示）が接続される。圧縮機３の駆動により冷媒が配管４内を流通して循環し、冷凍サイクルが運転される。冷凍サイクルには冷媒内の水分による凍結を防止するためにドライヤー１０が設けられる。ドライヤー１０はドライヤー固定装置１１によって冷蔵庫１に固定されている。
【０００３】
図１０はドライヤー固定装置１１の斜視図を示している。ドライヤー固定装置１１は金属板を曲げて形成され、円筒状のドライヤー１０に嵌合する環状部１２の両端から略平行に延びた第１、第２延長部１４、１５を有している。第１、第２延長部１４、１５には孔部１３ａ、１３ｂが形成される。
【０００４】
環状部１２にドライヤー１０を挿通して孔部１３ａ、１３ｂにネジ等の締結部材９を挿通し、締結部材９を冷蔵庫１に締結してドライヤー１０が固定される。これにより、ドライヤー１０の振動を抑制して亀裂等による故障が防止される。
【０００５】
また、特許文献１に開示されるように、圧縮機３は高効率駆動のためスイッチング周波数の高周波化が図られている。その結果、圧縮機３からの漏洩電流が増加するため、圧縮機３をアース接続する必要がある。このため、圧縮機３には保護材５ａで被覆されたアース線５が接続される。アース線５の一端は冷蔵庫１本体にネジ６により固定される。これにより、圧縮機３を確実にアース接続して漏電を防止することができる。
【０００６】
【特許文献１】特開２００６−２５０７８２号公報（第２頁−第５頁）
【特許文献２】実公昭６２−３０７１５号公報（第１頁−第２頁、第３図）
【発明の開示】
【発明が解決しようとする課題】
【０００７】
しかしながら、上記従来の冷蔵庫によると、圧縮機３をアース接続するためにアース線５が設けられるので、冷蔵庫１のコストがかかる。圧縮機３は配管４を介してドライヤー１０に導通するため、ドライヤー固定装置１１がドライヤー１０に接することにより圧縮機３をアース接続してアース線５を省くことができる。
【０００８】
しかし、ドライヤー固定装置１１やドライヤー１０の加工のばらつきによって環状部１２の内径がドライヤー１０の外径よりも大きくなる場合がある。その結果、ドライヤー１０は配管４によって概略位置決めされるため、環状部１２とドライヤー１０との間に隙間が形成されて圧縮機３を確実にアース接続できない問題があった。
【０００９】
本発明は、ドライヤーに確実に接触させることのできるドライヤー固定装置を提供することを目的とする。また本発明は、ドライヤーに確実に接触させることのできるドライヤー固定装置によりコストを削減できる冷蔵庫を提供することを目的とする。
【課題を解決するための手段】
【００１０】
上記目的を達成するために本発明は、冷蔵庫の冷凍サイクルに設けられる円筒状のドライヤーを固定するドライヤー固定装置において、前記ドライヤーの周面に巻着される巻着部と、前記巻着部に突設される突起部と、前記巻着部の両端から延びる第１、第２延長部と、第１、第２延長部の端部にそれぞれ設けた孔部とを備えたことを特徴としている。
【００１１】
この構成によると、ドライヤーの周面に巻着部が巻き付けられ、巻着部の両端から延びる第１、第２延長部が互いに重ねられる。第１、第２延長部に設けた孔部にはネジ等の締結部材が挿通され、冷蔵庫本体にドライヤー固定装置が締結される。巻着部には突起部が形成され、締結部材の締め付けによって突起部がドライヤーに押しつけられる。
【００１２】
また本発明は、上記構成のドライヤー固定装置において、第１、第２延長部が前記巻着部の両端から互いに離れる方向に延びることを特徴としている。この構成によると、巻着部の両端から互いに離れる方向に延びた第１、第２延長部は巻着部をドライヤーに巻き付けることによって互いに接近する。また、取付け前のドライヤー固定装置は第１、第２延長部が広がり、複数のドライヤー固定装置は第１、第２延長部の面に垂直な方向に重ねて搬送される。
【００１３】
また本発明は、上記構成のドライヤー固定装置において、第１、第２延長部の端部を前記突起部の突出方向と反対方向に折曲した固定部を設け、前記固定部に前記孔部を形成したことを特徴としている。この構成によると、巻着部がドライヤーに巻き付けられると第１、第２延長部が接近して固定部が略平行に配されて締結される。
【００１４】
また本発明は、上記構成のドライヤー固定装置において、前記突起部の突出方向と同じ方向に突出する突出部を第１、第２延長部に設けたことを特徴としている。この構成によると、締結部材の締め付けによって突出部はドライヤー固定装置の開放側から閉じた側にドライヤーを押し出してドライヤーが突起部に接する。
【００１５】
また本発明は、上記構成のドライヤー固定装置において、前記突出部が切り起こしから成ることを特徴としている。
【００１６】
また本発明は、上記構成のドライヤー固定装置において、前記突起部をバーリング加工により形成したことを特徴としている。
【００１７】
また本発明は、上記構成のドライヤー固定装置において、前記巻着部はＶ字型に折曲されることを特徴としている。この構成によると、Ｖ字型の巻着部が曲げられてドライヤーに巻き付けられる。
【００１８】
また本発明は、上記構成のドライヤー固定装置において、前記巻着部は前記ドライヤーの周面と同じ曲率の曲面部を有することを特徴としている。この構成によると、曲面部がドライヤーの周面に沿って配されて巻着部がドライヤーに巻き付けられる。
【００１９】
また本発明は、上記構成のドライヤー固定装置において、前記巻着部は前記ドライヤーの周面と同じ曲率の曲面部と、前記曲面部の両端から外側に折曲される平面部とを有し、前記曲面部と前記平面部との境界に複数の前記突起部をバーリング加工により形成したことを特徴としている。この構成によると、曲面部がドライヤーの周面に沿って配され、平面部を曲面部との境界で内側に曲げて巻着部がドライヤーに巻き付けられる。
【００２０】
また本発明の冷蔵庫は、上記各構成のドライヤー固定装置を前記ドライヤーに巻着し、重ねられた第１、第２延長部の端部の前記孔部に締結部材を挿通して前記ドライヤーを固定したことを特徴としている。
【発明の効果】
【００２１】
本発明によると、ドライヤー固定装置はドライヤーの周面に巻着される巻着部に突起部が突設され、巻着部の両端から延びる第１、第２延長部の端部に孔部が設けられるので、孔部に挿通した締結部材の締め付けによって突起部がドライヤーに押しつけられる。これにより、ドライヤー固定装置をドライヤーに確実に接触させることができる。従って、ドライヤーに導通する圧縮機を容易にアース接続することができるため、別途アース線を設ける必要がなく冷蔵庫のコストを削減することができる。
【００２２】
また本発明によると、第１、第２延長部が巻着部の両端から互いに離れる方向に延びるので、複数のドライヤー固定装置を重ねて搬送することができる。従って、ドライヤー固定装置の梱包容積を縮小して輸送コストを削減することができる。
【００２３】
また本発明によると、第１、第２延長部の端部を折曲した固定部に孔部を形成したので、巻着部を曲げてドライヤーに巻き付けた際に固定部が平行に配される。従って、ネジ等による締結を容易に行うことができる。
【００２４】
また本発明によると、突起部の突出方向と同じ方向に突出する突出部を第１、第２延長部に設けたので、締結部材の締め付けによって突出部がドライヤーを突起部の方向に押し出される。従って、より確実にドライヤー固定装置をドライヤーに接触させることができる。
【００２５】
また本発明によると、突出部が切り起こしから成るので、突出部がドライヤーと摺動し易く、容易にドライヤーを突起部の方向に押し出すことができる。
【００２６】
また本発明によると、突起部をバーリング加工により形成したので、突起部を容易に形成することができる。また、バーリング加工で形成される孔によって巻着部を容易に曲げることができる。
【００２７】
また本発明によると、巻着部はＶ字型に折曲されるので、巻着部を容易にドライヤーに巻き付けることができる。
【００２８】
また本発明によると、巻着部はドライヤーの周面と同じ曲率の曲面部を有するので、巻着部を容易にドライヤーに巻き付けることができる。
【００２９】
また本発明によると、巻着部はドライヤーの周面と同じ曲率の曲面部と、曲率部の両端から外側に折曲される平面部との境界に複数の突起部をバーリング加工により形成したので、突起部を容易に形成することができる。また、バーリング加工で形成される孔によって曲率部と平面部との境界で容易に曲げることができる。
【発明を実施するための最良の形態】
【００３０】
以下に本発明の実施形態を図面を参照して説明する。図１は第１実施形態の冷蔵庫を示す背面図である。説明の便宜上、前述の図９〜図１０に示す従来例と同様の部分は同一の符号を付している。冷蔵庫１の背面下部には圧縮機３を配した機械室２が設けられる。
【００３１】
図２は機械室２の背面図を示している。圧縮機３は複数の溶接部４ａで継ぎ足される配管４を介して凝縮器及び蒸発器（いずれも不図示）が接続される。圧縮機３の駆動により冷媒が配管４内を流通して循環し、冷凍サイクルが運転される。冷凍サイクルには冷媒内の水分による凍結を防止するためにドライヤー１０が設けられる。ドライヤー１０はドライヤー固定装置２１によって冷蔵庫１に固定されている。
【００３２】
図３はドライヤー１０の取付け状態を示す上面図である。ドライヤー固定装置２１は円筒状のドライヤー１０の周面に巻着され、先端がタッピングネジやボルト等から成る締結部材９により冷蔵庫１のアングル１ａに締結される。これにより、ドライヤー１０がアングル１ａに固定される。
【００３３】
図４、図５はドライヤー固定装置２１を示す側面図及び平面図である。ドライヤー固定装置２１は金属板を曲げて形成され、ドライヤー１０の周面に巻着される巻着部２２を有している。巻着部２２の両端にはドライヤー固定装置２１をドライヤー１０に巻き付けた際にドライヤー１０から離れて配される第１、第２延長部２４、２５が延設される。巻着部２２と第１、第２延長部２４、２５との境界は図中、一点鎖線Ｂで示している。
【００３４】
巻着部２２にはドライヤー１０の周面と同じ曲率の曲面部２２ｃが形成される。曲面部２２ｃは中心角が１８０°よりも小さく形成され、曲面部２２ｃの両端には平面から成る平面部２２ｄが連続して設けられる。平面部２２ｄは曲面部２２ｃから外側に折曲され、第１、第２延長部２４、２５と同じ面内に形成される。これにより、第１、第２延長部２４、２５は巻着部２２から互いに離れる方向に延び、平面部２２ｄ及び第１、第２延長部２４、２５が一直線上に配される。
【００３５】
曲面部２２ｃと平面部２２ｄとの境界には複数の突起部２２ａが突設される。突起部２２ａはバーリング加工によって孔部２２ｂの周囲に形成される。孔部２２ｂによって曲面部２２ｃに対して平面部２２ｄを容易に曲げることができ、簡単に巻着部２２をドライヤー１０に巻着することができる。
【００３６】
第１、第２延長部２４、２５には突起部２２ａと同じ方向に突出する突出部２４ｂ、２５ｂが設けられる。突出部２４ｂ、２５ｂは切り起こしにより形成され、両端が第１、第２延長部２４、２５の平面部分に連続して先端がＶ字型に折曲される。これにより、突出部２４ｂ、２５ｂの先端が滑らかに形成される。突出部２４ｂ、２５ｂを曲面により形成してもよい。
【００３７】
第１、第２延長部２４、２５の開放端には突起部２２ａの突出方向と反対方向に折曲した固定部２４ａ、２５ａが設けられる。固定部２４ａ、２５ａには締結部材９を挿通できる孔部２３ａ、２３ｂが形成される。
【００３８】
ドライヤー１０の周面に沿って曲面部２２ｃを配置し、平面部２２ｄを曲面部２２ｃに対して内側に曲げると第１、第２延長部２４、２５の開放側が互いに近づけられる。この時、固定部２４ａ、２５ａが略平行に配され、孔部２３ａ、２３ｂに締結部材９を容易に挿通させることができる。
【００３９】
孔部２３ａ、２３ｂに挿通した締結部材９をアングル１ａに螺合して締付けると、突起部２２ａがドライヤー１０に押しつけられる。また、突出部２４ｂ、２５ｂはドライヤー１０をドライヤー固定装置２１の開放側（固定部２４ａ、２５ａ側）から閉じた側（曲面部２２ｃ側）に押し出す。これにより、突起部２２ａをより確実にドライヤー１０に押しつけることができる。この時、突出部２４ｂ、２５ｂが切り起こしから成るため先端がドライヤー１０と摺動し易く、容易にドライヤー１０を突起部２２ａの方向に押し出すことができる。
【００４０】
締結部材９を締結すると前述の図３に示すように突起部２２ａはドライヤー１０に接した状態で変形して押しつぶされ、ドライヤー１０が固定される。これにより、ドライヤー１０の振動を抑制して亀裂等による故障が防止される。
【００４１】
本実施形態によると、ドライヤー固定装置２１はドライヤー１０の周面に巻着される巻着部２２に突起部２２ａが突設され、巻着部２２の両端から延びる第１、第２延長部２４、２５の端部に孔部２３ａ、２３ｂが設けられるので、孔部２３ａ、２３ｂに挿通した締結部材９の締め付けによって突起部２２ａがドライヤー１０に押しつけられる。
【００４２】
これにより、ドライヤー固定装置２１をドライヤー１０に確実に接触させることができる。従って、ドライヤー１０に導通する圧縮機３を容易にアース接続することができるため、別途アース線５（図９参照）を設ける必要がなく冷蔵庫１のコストを削減することができる。
【００４３】
また、第１、第２延長部２４、２５が巻着部２２の両端から互いに離れる方向に延びるので、複数のドライヤー固定装置２１を重ねて搬送することができる。従って、ドライヤー固定装置２１の梱包容積を縮小して輸送コストを削減することができる。
【００４４】
次に、図６、図７は第２実施形態の冷蔵庫のドライヤー固定装置を示す側面図及び平面図である。説明の便宜上、前述の図１〜図５に示す第１実施形態と同様の部分は同一の符号を付している。本実施形態はドライヤー固定装置２１の巻着部２２がＶ字型に形成される。その他の部分は第１実施形態と同様である。
【００４５】
ドライヤー固定装置２１は開放端から離れた側で折曲され、巻着部２２が中央部で曲がるＶ字型に形成される。第１、第２延長部２４、２５はそれぞれ巻着部２２に連続する平面から成る。
【００４６】
図８はドライヤー１０の取付け状態を示す上面図である。第１実施形態と同様に、ドライヤー１０の周面に沿ってＶ字型の巻着部２２を配置し、巻着部２２を曲げると第１、第２延長部２４、２５の開放側が互いに近づけられる。この時、固定部２４ａ、２５ａが略平行に配される。また、バーリング加工によって形成される孔部２２ｂによって巻着部２２を容易に曲げてドライヤー１０に巻着することができる。
【００４７】
孔部２３ａ、２３ｂに挿通した締結部材９をアングル１ａに螺合して締付けると、突起部２２ａがドライヤー１０に押しつけられる。また、突出部２４ｂ、２５ｂはドライヤー１０をドライヤー固定装置２１の開放側から閉じた側に押し出す。これにより、突起部２２ａをより確実にドライヤー１０に押しつけることができる。締結部材９を締結すると突起部２２ａはドライヤー１０に接した状態で変形して押しつぶされ、ドライヤー１０が固定される。
【００４８】
本実施形態によると、第１実施形態と同様の効果を得ることができる。また、巻着部２２はＶ字型に折曲されるので、巻着部２２を一平面により形成するよりも簡単にドライヤー１０に巻き付けることができる。
【産業上の利用可能性】
【００４９】
本発明によると、冷凍サイクルに設けられるドライヤーを固定するドライヤー固定装置を備えた冷蔵庫に利用することができる。
【図面の簡単な説明】
【００５０】
【図１】本発明の第１実施形態の冷蔵庫を示す背面図
【図２】本発明の第１実施形態の冷蔵庫の機械室を示す背面図
【図３】本発明の第１実施形態の冷蔵庫のドライヤーの取付け状態を示す上面図
【図４】本発明の第１実施形態の冷蔵庫のドライヤー固定装置を示す側面図
【図５】本発明の第１実施形態の冷蔵庫のドライヤー固定装置を示す平面図
【図６】本発明の第２実施形態の冷蔵庫のドライヤー固定装置を示す側面図
【図７】本発明の第２実施形態の冷蔵庫のドライヤー固定装置を示す平面図
【図８】本発明の第２実施形態の冷蔵庫のドライヤーの取付け状態を示す上面図
【図９】従来の冷蔵庫の機械室を示す側面断面図
【図１０】従来の冷蔵庫のドライヤー固定装置を示す斜視図
【符号の説明】
【００５１】
１    冷蔵庫
２    機械室
３    圧縮機
４    配管
５    アース線
９    締結部材
１０    ドライヤー
１１、２１  ドライヤー固定装置
１３ａ、１３ｂ、２３ａ、２３ｂ  孔部
１４、２４  第１延長部
１５、２５  第２延長部
２２    巻着部
２２ａ  突起部
２２ｃ  曲面部
２２ｄ  平面部
２４ａ、２５ａ  固定部
２４ｂ、２５ｂ  突出部
【図１】
2009092315.tif 000003
【図２】
2009092315.tif 000004
【図３】
2009092315.tif 000005
【図４】
2009092315.tif 000006
【図５】
2009092315.tif 000007
【図６】
2009092315.tif 000008
【図７】
2009092315.tif 000009
【図８】
2009092315.tif 000010
【図９】
2009092315.tif 000011
【図１０】
2009092315.tif 000012